(57)【要約】【課題】パチンコ球その他のパチンコ球Ｂの飛散防止効果に優れたパチンコ球収納箱を提供すること。【解決手段】パチンコ球Ｂを用いて遊技を行うパチンコ遊技機の備品として備えられ、底面部１１と側面部１３とを有しかつ上方に開放する開口１７からパチンコ球Ｂが収納されるパチンコ球収納箱１である。パチンコ球収納箱１は、底面部１１から上方に幾分離された箇所には、側面部１３に沿って上下方向に移動可能な中底１５が設けられている。中底１５は、その中央部が円形凹部１５１にされているとともに、底面部１１との間には、パチンコ球Ｂが、開口１７から落下した時の衝撃力を緩和するバネ１９が介在されている。【選択図】図１
2007252522.tif 000002
【特許請求の範囲】
【請求項１】
遊技用媒体を用いて遊技を行う遊技機の備品として備えられ、
底面部と側面部とを有しかつ上方に開放する開口から前記遊技用媒体が収納される遊技用媒体収納箱であって、
前記底面部から上方に幾分離された箇所には、前記側面部に沿って上下方向に移動可能な中底が設けられ、
当該中底は、その中央部が凹部に形成されているとともに、
前記底面部との間には、前記遊技用媒体が、前記開口から落下した時に前記中板が受ける衝撃力を緩和する弾性部材が介在されて中底が支持されていることを特徴とする遊技用媒体収納箱。
【請求項２】
前記中底は、ラバーその他の緩衝材を含むことを特徴とする請求項１に記載の遊技用媒体収納箱。
【請求項３】
前記中底の少なくとも凹部を布その他の柔軟性材料で形成することを特徴とする請求項１又は２に記載の遊技用媒体収納箱。
【請求項４】
前記中底が下降して前記底面部に至ると、前記中底をロックするロック部材を有し、
このロック部材は、前記中底の縁部が摺動する摺動面部と、この摺動面部の末端部分で前記中底の縁部と係合する係合部とを有することを特徴とする請求項１〜３のいずれかに記載の遊技用媒体収納箱。
【請求項５】
前記ロック部材に外力を付加すると前記ロック部材が転回できるように、前記ロック部材は前記側面部に一端固定他端自由な片持ち梁状に設けられ、
前記ロック部材の前記一端側には、前記側面部から外方へ突出する突出部が形成され、
この突出部に前記外力である内向きの回転力を付加すると、前記ロック部材の自由端側が外向きに転回し、これにより前記係合が解除されることを特徴とする請求項１〜４のいずれかに記載の遊技用媒体収納箱。
【請求項６】
前記中底は、前記凹部を除く部分を当該凹部に近づくに連れ下方に傾斜する倒立截頭錐形であることを特徴とする請求項１〜５のいずれかに記載の遊技用媒体収納箱。
【発明の詳細な説明】
【技術分野】
【０００１】
本発明は、パチンコ球その他の遊技用媒体を収納する遊技用媒体収納箱に関する。
【背景技術】
【０００２】
例えばパチンコ遊技機の遊技盤に発射された遊技球が入賞すると、賞球払出装置から所定数の賞球がパチンコ遊技機前面の打球供給皿に払い出される。
【０００３】
そして、払い出された賞球が、打球供給皿及びその下部に設けられた下部球受皿に充満すると、遊技客は、パチンコ遊技店に備品として用意されている遊技用媒体収納箱に、下部球受皿の底面部に設けられている球抜き口を開いて落とす。
【０００４】
このため遊技用媒体収納箱は、球抜き口から落下するパチンコ球を受けやすいように上方に大きく開放された中空容器とされている。なお遊技用媒体収納箱は、プラスチック製のものが多い。
【０００５】
パチンコ遊技者にとって、遊技用媒体収納箱に下部球受皿からパチンコ球が落下した時に遊技用媒体収納箱の底面部にパチンコ球が衝突して奏でられる怒濤の如き勢いの衝突音は、優越感に惹かれ快感に近いものがある。
【０００６】
しかし、このときのパチンコ球の落下エネルギーにより、遊技用媒体収納箱が衝撃を受けて痛んだり、パチンコ球が遊技用媒体収納箱から飛び跳ねて遊技機設置場（以下、ホール）の床に飛散してしまったりすることがある。
【０００７】
そこで、パチンコ球の衝撃力を緩和して、遊技用媒体収納箱が痛んだり、パチンコ球の飛散を防止するために、遊技用媒体収納箱の内面にラバー、塩化ビニル樹脂シート又は／及び発泡樹脂シートその他の緩衝材を融着したものや、遊技用媒体収納箱の形成材料そのものを特殊材料で形成したものが提案されている（特許文献１、２参照）。
【０００８】
しかし、それでもパチンコ球が遊技用媒体収納箱に強く当たった場合は、パチンコ球が跳ね返って飛散してしまうという不安を払拭しがたい。
パチンコ球の飛散は、ホール側にパチンコ球収集作業を余儀なくさせる。このため、パチンコ球の飛散防止効果に優れた遊技用媒体収納箱の提案が望まれていた。
【特許文献１】特開平９−１８７５６４号公報
【特許文献２】実開平７−１２１８５号公報
【発明の開示】
【発明が解決しようとする課題】
【０００９】
本発明は、このような実情に鑑みてなされたものであり、その解決しようとする課題は、パチンコ球その他の遊技用媒体の飛散防止効果に優れた遊技用媒体収納箱を提供することにある。
【課題を解決するための手段】
【００１０】
本発明は、遊技用媒体を用いて遊技を行う遊技機の備品として備えられ、底面部と側面部とを有しかつ上方に開放する開口から前記遊技用媒体が収納される遊技用媒体収納箱である。そして、前記底面部から上方に幾分離された箇所には、前記側面部に沿って上下方向に移動可能な中底が設けられ、当該中底は、その中央部が凹部にされているとともに、前記底面部との間には、前記遊技用媒体が、前記開口から落下した時に前記中板が受ける
衝撃力を緩和する弾性部材が介在されている。
【００１１】
遊技用媒体としては、例えば金属製のパチンコ球やコインを挙げられる。
遊技用媒体収納箱はプラスチック製であると製造が簡単である。
底面部と中底とは略同じ大きさ（面積）である。
【００１２】
弾性部材としては、例えばバネ、弾性ゴム、スポンジ等を挙げられる。
中底は、その中央部が凹部にされているから、遊技用媒体収納箱に遊技用媒体が収納されていくと、遊技用媒体は中底のうち当該凹部に集まる。
【００１３】
また中底は、上下方向に移動可能であるから、遊技用媒体の重みが前記弾性部材の弾力に抗する程に凹部に遊技用媒体が貯まっていけば中底は下降し、遊技用媒体が使用に供されて減少してゆけば弾性部材の弾力により上昇する。
【００１４】
遊技用媒体が前記凹部に収納されても自然落下する遊技用媒体は不規則に積み重なっていくだけなので、遊技用媒体同士の間には多数の空間が形成される。また積み重なる遊技用媒体のうち上部（殊には最上部）に位置する遊技用媒体は、その動きの自由度が、凹部の下部に位置することに起因して他の遊技用媒体によってその動きが抑制されている遊技用媒体に比べ高い。
【００１５】
このため、遊技用媒体収納箱にさらに落下してくる遊技用媒体が、当該自由度の高い遊技用媒体に衝突すると、落下してくる遊技用媒体の落下エネルギーは、前記衝突の影響で凹部内における遊技用媒体の運動エネルギーや遊技用媒体同士の摩擦エネルギー等に変換される。換言すると中底の凹部は、そこにパチンコ球が貯留された状態になると、落下エネルギーを既述のように中底の凹部内における遊技用媒体の運動エネルギーや遊技用媒体同士の摩擦エネルギーに変換するためのエネルギー変換場ということができる。
【００１６】
加えて中底と底面部との間には、前記遊技用媒体が、前記開口から落下した時の衝撃力を緩和する弾性部材が介在されているので、落下エネルギーによる中底の衝撃が軽減される。
【００１７】
中底の少なくとも中央部を布その他の柔軟性材料で形成することも可能である。
弾性部材の弾性は、前記凹部に前記遊技球が入るとその重みに比例して、前記弾性部材の弾力に抗し前記中底が徐々に下降するように設定されていることが好ましい。
【００１８】
また、中底が下降して前記底面部に至ると、中底をロックするロック部材を有することが好ましい。なぜならば、遊技用媒体収納箱に前記遊技球が入るとその重みにより、前記弾性部材の弾力に抗して前記中底が下降していくが、遊技用媒体収納箱に収納されている遊技用媒体が遊技に供される量が新たに貯留される量よりも多ければ、遊技用媒体収納箱に収納されている遊技用媒体は減少してゆき、弾性部材による中板の押し上げ力の方が、遊技用媒体収納箱に収納されている遊技用媒体の総重量による中板の押し下げ力よりもある臨界点を境に一気に打ち勝って、遊技用媒体が遊技用媒体収納箱から飛び出してしまう虞があるからである。
【００１９】
しかし中底がロック部材によってロックされているならば、遊技用媒体の中底は、遊技用媒体の貯留量の多寡に拘わらずロックを解除しない以上ロックされた箇所から移動しないため、弾性部材の弾発力がいくら中底に作用していても遊技用媒体が遊技用媒体収納箱から飛び出してしまうことを回避することができる。
【００２０】
さらに、ロック部材が、前記中底の縁部が摺動する摺動面部と、この摺動面部の末端部
分で前記中底の縁部と係合する係合部とを有するようにすることで、遊技用媒体収納箱に入った遊技用媒体の重さに応じて、中底は、その縁部が摺動面部を摺動しながら遊技用媒体の貯留量に応じて下降し、やがて係合部と係合する。
【００２１】
中底の縁部が摺動面部を摺動している間、両者の間では摩擦が生じ、中板の下降にブレーキが掛かる。このため、遊技用媒体が遊技用媒体収納箱に多量に入っても中板は徐々に下降していく。加えて中底は、底面部との間に設けられた弾性部材によって支えられているので、下降に伴う衝撃力がさらに緩和され、当該衝撃力に伴う遊技用媒体収納箱に生ずる損傷を少なくできる。また、徐々に下降していくので、中底の縁部と係合部との係合がゆっくり行われるようになるからその係合は確実になる。
【００２２】
前記ロック部材に外力を付加すると前記ロック部材が転回できるように、前記ロック部材を前記側面部に一端固定他端自由な片持ち梁状に設け、前記ロック部材の一端側に遊技用媒体収納箱の側面部から外方へ突出する突出部を形成し、この突出部に外力である内向きの回転力を付加すると、前記ロック部材と前記側面部との境界部分となる前記ロック部材の一端側で弾性ひずみを生じながら前記ロック部材の自由端側が外向きに回転し、これにより前記係合が解除される。また外力を外せば、前記弾性ひずみが消滅し、ロック部材は外力が除去されて外力を付加する前の状態に戻る。
【００２３】
なお、中底は、凹部を除く部分を凹部に近づくに連れ下方に傾斜する倒立截頭錐形にしてもよい。このようにすることで凹部に遊技用媒体が集まりやすくなるため、凹部に遊技用媒体が集まってできる落下エネルギーの変換場の確保が、中底が平らな場合と比較して早く確保することができる。
【発明の効果】
【００２４】
本発明の遊技用媒体収納箱は、遊技用媒体の落下エネルギーが、中底の凹部内における遊技用媒体の運動エネルギーや遊技用媒体同士の摩擦エネルギーに変換され、当該変換の際に消耗されるので、遊技用媒体が落下したときに、当該落下した遊技用媒体が他の遊技用媒体や中底と衝突したりすることで生じる衝突音や、当該衝突に起因する遊技用媒体の跳ね返りを効果的に防止できる。また、このような作用効果を奏するにための中底の取り付けは、中底と底面部との間に弾性部材が介在しただけの簡単な構造であるから、点検作業および保守作業も不要である。
【発明を実施するための最良の形態】
【００２５】
図面を参照しながら、本発明による遊技用媒体収納箱の好適な実施形態の構成を説明する。
図１や図２に示すように、遊技用媒体収納箱１は、遊技用媒体、例えばパチンコ球Ｂを収納するための箱体として利用され、図示しないパチンコ遊技機の備品として、ホールに備えられている。
【００２６】
遊技用媒体収納箱（以下、パチンコ球収納箱）１は、上方に開口された中空箱体１０と、中空箱体１０の内部を上下方向に移動可能な中底１５とを有する。
中空箱体１０は、プラスチックでできており、矩形状をした底面部１１と、底面部１１の四側縁から上方に立ち上げ状に延びる４枚の側面部１３とからなる。
【００２７】
中底１５は、底面部１１と略同じ大きさ（面積）であり、プラスチックや金属からなる基板１５ａと、その上に張り合わされる緩衝材１５ｂとからなる。
基板１５ａは、その中央部に円形孔１５ａ１を有する。円形孔１５ａ１は中底のほぼ１／３の大きさを有する。
【００２８】
緩衝材１５ｂとしては、ラバー、塩化ビニル樹脂シート又は／及び発泡樹脂シート等を布状に薄くしたものが適用されている。また、緩衝材１５ｂは基板１５ａよりも大きめである。当該大きめである分、緩衝材１５ｂを円形孔１５ａ１から下方に弛ませて円形凹部１５１が形成されるようになっている。
パチンコ球収納箱１の開口は符合１７で示す。なお符号１８で示すのは、パチンコ球収納箱１の側部に設けられた取っ手である。
【００２９】
基板１５ａと底面部１１との間には、弾性部材としてのバネ１９が複数（この実施形態では２つ）介在されている。複数のバネ１９は、パチンコ球Ｂが、開口１７から落下した時の衝撃力を緩和するためのものであり、円形凹部１５１の周囲に等間隔で配置されている。
【００３０】
中底１５は、その上から外力を加えると、バネ１９の弾力に抗して、側面部１３に沿って下方に移動し、当該外力を除去するとバネ１９の弾力で上方に移動する（図５及び図６参照）。図２や図３で示すように、外力が完全に除去されて中底１５がバネ１９の弾力で上方に押しやられた時の定位置を初期位置という。中底１５が初期位置にあるときにパチンコ球収納箱１は使用可能な状態になる。
【００３１】
パチンコ球収納箱１に開口１７から入ったパチンコ球Ｂは、中底１５の前記円形凹部１５１に自ずと集まる（図１参照）。そして、中底１５に集まったパチンコ球Ｂの総重量により、バネ１９の弾力に抗して、中底１５が下降するように、バネ１９の弾性係数は設定されている。
【００３２】
中底１５の円形凹部１５１の頂点１５１ａ（図２，３参照）が、底面部１１に至る程に下降すると、中底１５を左右でロックするロック部材２１が作用する（図５参照）。中底１５がロック部材２１によってロックされた状態にあるときの中底１５の位置をロック位置という。中底１５がロック位置にあるとき、中底１５はその下方からバネ１９の弾発力を受け、かつロックされているので、上にも下にも移動しない。
【００３３】
ロック部材２１は、側面部１３の一部として、側面部１３に設けられた窓部１３１を閉塞するように設けられている（図３，５参照）。
ロック部材２１は、主部２１０と突出部２１１とからなる。
【００３４】
主部２１０は、中底１５の縁部１５３を上下方向において摺動させる摺動面部２１３と、この摺動面部２１３の末端部分であって、中底１５が摺動面部２１３に沿って下降し、中底１５の円形凹部１５１の頂点１５１ａ（図３参照）が、底面部１１に至ると中底１５の縁部１５３と係合する係合部としての下端縁２１３ｄとを有する（図６参照）。
【００３５】
摺動面部２１３は、図１及び図４からわかるように矩形の板状をしており、遊技用媒体収納箱１の側面部１３に対して一端固定他端自由な片持ち梁状に取り付けられている。そして、摺動面部２１３は、通常、窓部１３１を閉塞した状態にあり、外力が付加されると窓部１３１を開くように外側に転回する（図６参照）。
【００３６】
詳しくは、摺動面部２１３の一端である上端縁２１３ｕは、側面部１３に一体に形成され、他の縁である前記下端縁２１３ｄと、図１や図４において向かって右側及び左側にそれぞれ位置する右端縁２１３ｒ及び左端縁２１３ｌとは、側面部１３から分離された状態にある。上端縁２１３ｕを側面部１３に一体に形成するには、一体成型により摺動面部２１３を側面部１３の一部にする。
【００３７】
なお、上端縁２１３ｕに回転軸を設け、側面部１３に対して摺動面部２１３が回転でき
るようにしてもよい。但し、この場合、回転軸にスプリング力を作用させ、常時、ロック部材２１の下端縁２１３ｄが内向きに回転するように付勢させておくと、摺動面部２１３と中底１５の縁部１５３とが当接する。いずれにしろ、摺動面部２１３に外力を付加すると上端縁２１３ｕを回動中心にして主部２１０を転回できればよい。
【００３８】
また、摺動面部２１３の上端縁２１３ｕには、側面部１３から外方へ前記突出部２１１が突出されて形成され、この突出部２１１に図６に示すように内向き（図６の矢印ａ１参照）の回転力が付加されると、摺動面部２１３の自由端（下端縁２１３ｄ）側が外向き（図６の矢印ａ２参照）に転回する。なお突出部２１１は、人の指が掛かる程度の大きさとされている。
【００３９】
一方、パチンコ球収納箱１にパチンコ球Ｂが全く入っていないか、又は入っていてもその数が少なくバネ１９の弾力に抗して中底１５を下降させる程には入っていない場合、中底１５はパチンコ球収納箱１のほぼ半分の高さに位置する（図１〜図３参照）。
【００４０】
なお、ロック部材２１により窓部１３１が閉塞されている状態において、摺動面部２１３は先端ほどパチンコ球収納箱１の内側に位置するように傾斜されている（図３，５参照）。
【００４１】
次にこのような構成のパチンコ球収納箱１の作用効果について説明する。
中底１５は、その中央部が円形凹部１５１にされているから、パチンコ球Ｂがパチンコ球収納箱１に開口１７から収納されると、パチンコ球Ｂは円形凹部１５１に集まる（図１及び図５参照）。
【００４２】
中底１５は、上下方向に移動可能であるから、パチンコ球収納箱１に入ったパチンコ球Ｂの総重量がバネ１９の弾力に抗する程にあれば、中底１５は、その縁部１５３が、ロック部材２１の摺動面部２１３を摺動しながら下降する。そして、中底１５の円形凹部１５１の頂点１５１ａが底面部１１に当接するほどに下降すると、中底１５の縁部１５３が、摺動面部２１３の末端部分である係合部としての下端縁２１３ｄと係合する。
【００４３】
パチンコ球Ｂが円形凹部１５１に収納された状態にあるとき、パチンコ球Ｂは球であるから、パチンコ球Ｂ同士の間には多数の空間Ｓが形成される（図７（ａ）参照）。前記多数の空間Ｓによりパチンコ球Ｂ、殊には他のパチンコ球Ｂの重量が掛かっていない上部（殊には最上部）のパチンコ球Ｂの自由度は高い。
【００４４】
したがって、当該自由度の高い状態にあるパチンコ球Ｂにパチンコ球Ｂが落下して衝突すると、落下したパチンコ球Ｂは収納済みのパチンコ球Ｂを押しのけてこれを移動する（図７（ｂ）参照）。
【００４５】
よってパチンコ球Ｂの落下エネルギーは、前記押しのけられたパチンコ球Ｂの移動に伴う運動エネルギーに変換される。また、パチンコ球収納箱１内のパチンコ球Ｂは隣接するパチンコ球Ｂと接触しているから、前記落下エネルギーは、パチンコ球Ｂが移動する際にパチンコ球同士の間で摩擦を生じる際に発生する摩擦エネルギーに変換される。
【００４６】
換言すると中底１５の円形凹部１５１は、そこにパチンコ球が貯留された状態になると、落下エネルギーをパチンコ球Ｂ同士の摩擦エネルギーや円形凹部１５１内におけるパチンコ球Ｂの移動に伴う運動エネルギーに変換するためのエネルギー変換場といえる。
【００４７】
なお、図７では、落下してくるパチンコ球Ｂ１（同図ａ参照）が、その落下エネルギーにより貯留済みのパチンコ球Ｂを左右に押しやっている状態を示している（同図ｂの白抜
き矢印参照）。
【００４８】
このように、パチンコ球Ｂの落下エネルギーが他のエネルギーに変換される際に消耗されるので、パチンコ球Ｂが他のパチンコ球Ｂやパチンコ球収納箱１と衝突しても当該衝突に起因する騒音やパチンコ球Ｂの跳ね返りを効果的に抑制することができる。
【００４９】
また中底１５と底面部１１との間には、パチンコ球Ｂが、パチンコ球収納箱１の開口１７から底面部１１に落下した時の衝撃力を緩和するバネ１９が介在されているので、騒音や跳ね返りの防止にさらに効果的である。
【００５０】
パチンコ球収納箱１にパチンコ球Ｂが入るとその重みにより、バネ１９の弾力に抗して中底１５がロック部材２１によってロックされるまで下降してゆく。しかしロック部材２１によってロックされる程に中底１５が下降していなければ、パチンコ球収納箱１に収納されているパチンコ球Ｂの多寡に応じて、中底１５は上昇したり下降したりする。
【００５１】
そして、その間にパチンコ球収納箱１に入っているパチンコ球Ｂを遊技に供する量の方が賞球によってパチンコ球収納箱１に払い出される量よりも多ければ、パチンコ球収納箱１に収納されているパチンコ球Ｂの総重量よりもバネ１９の押し上げ力の方が上回り、ある臨界点を境に一気にパチンコ球Ｂがパチンコ球収納箱１から飛び出してしまう虞がある。
【００５２】
しかし中底１５がロック部材２１によってロックされていれば、パチンコ球Ｂの中底１５にバネ１９の弾発力がいくら作用していても中底１５は、パチンコ球Ｂの貯留量の多寡に拘わらず、ロックされた位置から上下に移動しない。よって、パチンコ球Ｂの跳ね返りを回避することができる。
【００５３】
一方、ロック部材２１は、その主部２１０に中底１５の縁部が摺動する摺動面部２１３と、この摺動面部２１３の末端部分で中底１５の縁部１５３と係合する下端縁２１３ｄとを有するので、パチンコ球収納箱１に入ったパチンコ球Ｂの重さに応じて、中底１５は、その縁部１５３が摺動面部２１３を摺動しながらパチンコ球Ｂの貯留量に応じて下降し、やがて下端縁２１３ｄと係合する。
【００５４】
なお、摺動面部２１３は、既述のように先端ほどパチンコ球収納箱１の内側に位置するように傾斜されているので（図３，５参照）、中底１５が下降するほどその縁部１５３と摺動面部２１３との間の摩擦は大きくなり、中底１５の下降にブレーキが掛かるようになる。このため、中底１５は下降しにくくなる。
【００５５】
すなわち、中底１５は、徐々に下降してゆくため、中底１５の縁部１５３と下端縁２１３ｄとの係合がゆっくり行われるようになるからその係合は確実になる。加えて、中底１５はバネ１９によって支えられている。このため、パチンコ球Ｂが多量に入っても中底１５は一気に下降しない。
【００５６】
したがって、下降に伴う衝撃力が緩和され、パチンコ球収納箱１に生ずる損傷を少なくできる。なお、中底１５は、その円形凹部１５１の頂点１５１ａが底面部１１に支えられた状態でかつ左右のロック部材２１によってロックされるので三点で支持されるため安定する。
【００５７】
反対にロックが解除されて中底１５がバネ１９の弾発力によって上昇する力を受ける場合、摺動面部２１３は先端ほどパチンコ球収納箱１の内側に位置するように傾斜されているので、下降する場合とは反対に上昇するほど中底１５の縁部１５３と摺動面部２１３と
の間の摩擦は小さくなり中底１５は上昇しやすくなる。
【００５８】
よってパチンコ球収納箱１をすぐに使えるようになる。なお、ロック部材２１によるロックを解除する場合は、パチンコ球収納箱１からパチンコ球Ｂがすべて空けられる場合であり、例えば球計数機であるジェットカウンターによる計数が終了した場合にホール側で店員がロック部材２１による中底１５のロックを解除する場合を挙げられる（図６参照）。
【００５９】
ロック部材２１は、パチンコ球収納箱１の側面部１３の一部として一端固定他端自由な片持ち梁状に取り付けられており、ロック部材２１の一端側にはパチンコ球収納箱１の側面部から外方へ突出する突出部２１１を有するので、図６の矢印ａ１のように突出部２１１に内向きの回転力である外力を付加すると、弾性ひずみを生じながらロック部材２１の自由端側が同図矢印ａ２のように外向きに回転し、これにより中底１５との係合が解除され、矢印ａ３のように中底１５がバネ１９によって元の位置に戻る。また外力を外せば、弾性ひずみが消滅し、ロック部材２１は元に戻る。
【００６０】
なお、この実施形態は、本発明の単なる例示に過ぎず何ら本発明を限定するものではなく、本発明の要旨を逸脱することなく種々の変形変更が可能である。
例えば、この実施形態では、パチンコ球Ｂを収容するパチンコ球収納箱として開示したが、パチンコ式スロットのコインを収納する収納箱としても適用できる。
【００６１】
また、中底１５の少なくとも中央部を布その他の柔軟性材料で形成するようにしてもよい。そしてバネ１９の代わりに弾性ゴムやスポンジその他の弾性体であってもよい。
【００６２】
さらに既述した中底１５は、底面部１１と平行なものを例示したが、中底１５のうち円形凹部１５１を除く部分（周囲部１５２）を円形凹部１５１に近づくに連れ下方に傾斜する形（倒立截頭錐形）にすることで、パチンコ球Ｂが中央部の円形凹部１５１に向けて集まり易くなるようにすることが考えられる（図８参照）。
【００６３】
このようにするとパチンコ球収納箱１に落下したパチンコ球が中底１５の周囲部１５２に留まることがなく、総て円形凹部１５１に集まる。このため、既述したように落下エネルギーを凹部内におけるパチンコ球Ｂ同士の摩擦エネルギーやパチンコ球Ｂの移動に伴う運動エネルギーに変換するためのエネルギー変換場が、周囲部１５２が傾斜されていない場合と比較して早く確保することができる。
【図面の簡単な説明】
【００６４】
【図１】本発明に係るパチンコ球収納箱の一部を透視して示す斜視図である。
【図２】図１のＩＩ−ＩＩ線断面図である。
【図３】図１のＩＩＩ−ＩＩＩ線断面図である。
【図４】図１の分解斜視図である。
【図５】本発明に係るパチンコ球収納箱にパチンコ球が入り、その重みで中底が下降し、ロックされている状態を示す図である。
【図６】図５の状態においてロックを解除している状態を示す拡大図である。
【図７】パチンコ球Ｂの落下エネルギーが緩和される状態を説明するための図である。
【図８】中底の変形例を示すための図であり、図１に相当する図である。
【符号の説明】
【００６５】
１  パチンコ球収納箱（遊技用媒体収納箱）
１１  底面部
１３  側面部
１５  中底
１５ａ  基板
１５ａ１  円形孔
１５ｂ  緩衝材
１７  開口
１８  取っ手
１９  バネ（弾性部材）
２１  （ロック部材）
１３１  窓部
１５１  円形凹部（凹部，中央部）
１５１ａ  頂点
１５３  中底の縁部
２１０  主部
２１１  （突出部）
２１３  摺動面部
２１３ｄ  下端縁（末端部分，係合部）
２１３ｌ  左端縁
２１３ｒ  右端縁
２１３ｕ  上端縁
Ｂ  パチンコ球（遊技用媒体）
Ｂ１  パチンコ球
Ｓ  空間
【図１】
2007252522.tif 000003
【図２】
2007252522.tif 000004
【図３】
2007252522.tif 000005
【図４】
2007252522.tif 000006
【図５】
2007252522.tif 000007
【図６】
2007252522.tif 000008
【図７】
2007252522.tif 000009
【図８】
2007252522.tif 000010